(57)【要約】【課題】大きさの違う月毎の領収証が同じ台紙にまとめられ、受け取ったらすぐに楽に他具を必要とせず収納出来、支払い済みかどうかが一目瞭然に分かるようにする、公共料金領収証収納具を提供する。【解決手段】台紙と、台紙に設けられた任意の公共料金領収証を収納するための必要十分な複数のポケットと、該ポケット近傍に各領収証の名称又は領収証の文字が記された表記部とより構成されたことを特徴とする。【選択図】            図１
2004155173.tif 000002
【特許請求の範囲】
【請求項１】
台紙と、台紙に設けられた任意の公共料金領収証を収納するための必要十分な複数のポケットと、該ポケット近傍に各領収証の名称又は領収証の文字が記された表記部とより構成されたことを特徴とする、公共料金領収証収納具
【請求項２】
複数の台紙と、各台紙に設けられた任意の公共料金領収証を収納するために必要十分な複数のポケットと、この台紙を束ねた冊子を綴じる表紙部に表紙表記部を設けた、公共料金領収証収納具。
【発明の詳細な説明】
【０００１】
【発明の属する技術分野】
台紙に設けられたポケットにより、主として公共料金領収証を整理する、公共料金領収証ポケットに関するものである。
【０００２】
【従来の技術】
公共料金領収証を整理する物がないため、引き出し等に置くか封筒に貯めていた。
【０００３】
【発明が解決しようとする課題】
公共料金領収証には、水道、下水道、電気、ガス、電話等があり、さらに生命保険、新聞、町内会、ＰＴＡ、趣味の会等々の個人的に月々支払うべき対象の領収証がある。そしてそれらが月々ばらばらに送られてきて、その都度引き出し等に置くか封筒に貯めていた。所得税の申請や二重払いのトラブル防止のため、ホチキスで留めたり挟み具で挟んだり封筒に入れたり紙面に付順に貼付する等するが、大きさがまちまちなのでやりにくく、送られてくる度にはまとめにくい。また硬、柔の材質の違いもあり、束ねにくかったり封筒に差し込みにくかったりする。時が経てば他と混じり紛失しがちでありいざという時に探しにくく、二重三重の手間になっているのが通常である。知りたい物が届いているかどうか支払ったかどうかは、口座振り込みにし通帳を見ない限り一目瞭然に確認出来るものはなく、しかも単身赴任、学生、転居の多い場合等、その他好みも含め口座振り込みをするとは限らないものでもある。また口座振り込みをするまでもない定期的に支払うべき対象の物もある。
【０００４】
【課題を解決するための手段】
台紙と、台紙に設けられた任意の公共料金領収証を収納するための必要十分な複数のポケットと、該ポケット近傍に各領収証の名称又は領収証の文字が記された表記部とより構成されたことを特徴とする。
【０００５】
【発明の実施の形態】
以下、本発明の実施の形態を説明する。
先ず図１、２の異形ポケット群の、茨城県のＴ地区を例にとり台紙への並べ方の一例を説明する。一番厚みのある下水道の領収証をそのままとし、他のものについては二つ折り三つ折りなどに小さくしてする等で収納することとして大きさを決定したポケット５個を、台紙部（３）に、透明シートの左右側と底側を接着して設ける。台紙を図のような縦長の向きでサイズをＡ４程度とするにする場合、その左上側に水道の領収証を二つ折りにして収納出来る大きさのポケット（１ａ）を設ける。次に下水道の領収証用として左下にそのままの大きさで収納出来る大きさのポケット（１ｂ）を設ける。同様にして右下には二つ折りにしたガスの領収証を収納出来る大きさのポケット（１ｃ）、その上には二つ折りにした電気の領収証を収納出来る大きさのポケット（１ｄ）、右上には二つ折りにした電話、テレコムの二枚の領収証を並べて、又は一部を重ねる等して収納出来る大きさのポケット（１ｅ）を作成する。次に各ポケット近傍の名称書き込み欄（４）に領収証名を印字する。領収証を差し込み易くするために口部に少し欠損部を設けてもよい。これは後述のその他の型の場合に通じる。
以上の異型ポケット群の場合の使い方について説明する。それぞれの領収証（５）を該当する名称が印字されたポケットの口部（２）より差し込む。１ａに水道料金領収証を二つ折りで、１ｂには下水道の領収証をそのままで、１ｃにガスの領収証を二つ折りで、１ｄに電気料金領収証は二つ折りで、１ｅに電話とテレコムは二枚をそれぞれ二つ折りで並べて差し込む。
次に図３、４の同型ポケット群の設け方について、茨城県のＴ地区を例にとり説明する。一番厚みのある下水道の領収証を最大と考え、この領収証を収納できる必要十分な大きさのポケットを一枚の台紙に４個、又は見開き状態の台紙にそれぞれ２個づつ設ける。次に（１ｆ）には水道、（１ｇ）には下水道、（１ｈ）にはガスと電気、（１ｉ）には電話とテレコムの領収証をというように領収証を４つに分類する。収納するポケットの順を決定した場合は、ポケットの近傍の該当する位置にそれぞれの領収証の名称を印字する。決定しない場合は、それぞれのポケットの近傍に使用者が使用時入れる種類を決定してその領収証名を記入するので、領収証という文字のみ印字しておく。また期日書き込み個所（６）を端部辺りに用意し、そこに括弧又は年、月の文字を印字しておく。
以上の同型ポケット群の入れ方の一例について説明すると、１ｆに水道の領収証をそのままで、１ｇに下水道をそのままで、１ｈにガスと電気の領収証を細く二つ折りで、１ｉに電話とテレコムの領収証をそのままで並べ、それぞれの口部より差し込む。
前記の異同二種類の型で作成した台紙を、ファイル内に収納するか、ホチキスで留め合わせる。又はパンチ穴を設けて紐で綴じたり、図４のように冊子状に綴じ部（７）で綴じ合わせる。台祇の名称書き込み個所に領収証を意味する文字がない場合には、図５のように表紙部（８）に該文字を印字する。
ファイル内等に収納した又は綴じ合わせた台紙の使い方については、１ヶ月分が台紙１枚の場合は１年分として１２枚、年に１枚だけとする税金の領収証分を別に作った場合はその１枚を加えた１３枚を、納税で必要な期間をこのままで保存し、不要になれば収納したままで廃棄する。あるいは領収証のみを引き出して捨て、当発明は再利用する。
尚、領収証とのみ印字されている場合は、使用者が種類名を書き込む。期日書き込み個所を設けた場合はそこに該当する月名を書き込む。設けない場合は空欄を見つけて使用者が書いたり、期日を書いたカードをポケットのどれかに差し込む。書き込んだシール状のカード等を表面に貼ってもよい。個人的な月毎に届く領収証用のポケットも用意しておいてもよい。異形ポケットの台紙への期日書き込みについでは、任意でよい。
【発明の効果】
【０００７】
イ  公共料金の月々の支払い状況が一目瞭然となる。
ロ  大きさの違う領収証が同じ台紙に簡単に収納出来る。
ハ  月毎の領収証が同じ台紙に簡単にまとめられる。
ニ  整理し易く紛失しない。
ヘ  台紙に収納を成し得て満足感を得る。
【図面の簡単な説明】
【図１】異形のポケットを有する台紙の、表面図である。
【図２】使用中の異形のポケット群を有する台紙の、表面図である。
【図３】同形ポケット群を有する台紙一部の、表面図である。
【図４】使用中の同形のポケットを複数設けた台紙の、表面図である。
【図５】冊子状の表紙部（８）に領収証の文字を印字した、斜視図である。
【符号の説明】
１ａ  水道の領収証用                    １ｂ  下水道の領収証用
１ｃ  ガスの領収証用                    １ｄ  電気の領収証用
１ｅ  電話、テレコムの二枚の領収証用    １ｆ  水道の領収証用
１ｇ  下水道の領収証用                  １ｈ  ガス、電気の領収証用
１ｉ  電話、テレコムの領収証用          ２  口部
３  台紙部                ４  名称書き込み個所      ５  領収証
６  期日書き込み個所      ７  綴じ部                ８  表紙部
【図１】
2004155173.tif 000003
【図２】
2004155173.tif 000004
【図３】
2004155173.tif 000005
【図４】
2004155173.tif 000006
【図５】
2004155173.tif 000007